(57)【特許請求の範囲】
【請求項１】
架空での光ケーブル配線に用いられるものであって、光ケーブルＣに沿ったケーブル支持プレート１に、光ケーブル支持用の支持線Ａに固定するハンガー２と光ケーブルＣの二点を把持し、当該二点の間に光ケーブル余長部が存在するようにしたケーブル把持部３，３とを設け、この両ケーブル把持部３，３それぞれに、前記光ケーブルＣに圧接するように把持力６０〜９０ｋｇを持つ合成ゴムからなる弾性把持部材４を設けることにより、光ケーブルＣの引っ張りが上記把持力を超えた際に滑って光ケーブル余長部から繰り出すように弾性把持部材４を取付片５によって挟圧配備したことを特徴とする光ケーブル留め具。
【請求項２】
請求項１記載の光ケーブル留め具において、前記ケーブル支持プレート１に、接続余長の巻き取りが最小曲率半径３００ｍｍ以上で、所定の光ケーブル外径を確保するケーブル支持アーム６を回動自在に設けたことを特徴とする光ケーブル留め具。
【請求項３】
請求項１または請求項２記載のケーブル留め具において、前記ケーブル支持アーム６が、先端にスパイラル状または引っ掛け鉤状の把手部６１を備え、前記ケーブル支持プレート１に形成した位置決めストッパ７に保持されて、巻き付けた光ケーブルＣ１の円周の一点を支持することを特徴とする光ケーブル留め具。
【請求項４】
請求項１、請求項２または請求項３記載の光ケーブル留め具において、前記ケーブル把持部３が、円筒形の弾性把持部材４を圧接する取付片５を前記ケーブル支持プレート１に備え、該取付片５を介して固定子５１によって弾性把持部材４を圧接固着したことを特徴とする請求項１、請求項２または請求項３記載の光ケーブル留め具。
【請求項５】
請求項２、請求項３または請求項４記載の光ケーブル留め具において、前記弾性把持部材４が、前記光ケーブルＣの外周面に接触する挿通孔４１を有する円筒形合成ゴムからなり、光ケーブルＣを挿入する切れ目４２を挿通孔４１に連通して設け、前記ケーブル把持部３に着脱自在に嵌挿したことを特徴とする光ケーブル留め具。  
【請求項６】
請求項４または請求項５記載の光ケーブル留め具において、前記取付片５が、湾曲部の両端に折り曲げ支片５２，５３を備え、一方の支片５３を前記ケーブル支持プレート１に形成した挿入孔５４に嵌入支持され、他方の支片５２をケーブル支持プレート１に固定子５１によって取り外し自在に固着したことを特徴とする請求項４または請求項５記載の光ケーブル留め具。
【請求項７】
請求項４、請求項５または請求項６記載の光ケーブル留め具において、前記ハンガー２が、先端部に支持線Ａを受ける抱持片２１と締め付けネジ２２とからなる固着部を備え、前記支持線Ａに係脱自在に吊下げ保持されることを特徴とする光ケーブル留め具。  
【請求項８】
請求項５、請求項６、または請求項７記載の光ケーブル留め具において、前記ケーブル支持プレート１の中央部にブラケット１０を間隔をあけて一対設け、各ブラケット１０にフック片９を回動自在にそれぞれ備えて、該フック片９に巻き丸めた光ケーブルＣ１を抱持し、光ケーブル巻きの円周を整理して止める構成としたことを特徴とする光ケーブル留め具。
【請求項９】
請求項５、請求項６または請求項７記載の光ケーブル留め具において、前記ケーブル支持プレート１が、ガイド溝のあるガイドレール１１と、断面略Ｕ字形のアームからなる電柱固定アーム１２とを備え、該電柱固定アーム１２がその一端に折曲片１２１を有し、他端に締付固定ネジ１３を備えたものであって、該締付固定ネジ１３がケーブル支持プレート１に形成されたガイドレール１１にあるガイド溝に嵌挿されるとともに、締付固定ネジ１３を緩めて電柱固定アーム１２を前記ガイドレール１１上をスライドさせることにより、電柱固定アーム１２をガイドレール１１に対して摺動自在とすると共に、該電柱固定アーム１２にある締付固定ネジ１３を緩めてアーム一端を持ち上げ、締付固定ネジ１３を中心に回転することにより、電柱固定アーム１２をガイドレールに対して回転自在にできるように構成したことを特徴とする光ケーブル留め具。
【請求項１０】
請求項９の光ケーブル留め具において、前記ケーブル把持部３に備えた前記取付片５が、湾曲部の両端に折り曲げ支片５２，５３を備え、一方の支片５３を前記ケーブル支持プレート１に形成した挿入孔５４に嵌入保持され或いは開閉自在に連結され、他方の支片５２をケーブル支持プレート１に固定子１６によって取り外し自在に固着したことを特徴とする光ケーブル留め具。
【請求項１１】
請求項９または請求項１０記載の光ケーブル留め具において、前記ケーブル支持プレート１が、配線ケーブル支持用の支持線Ａに固定するハンガー２を取付けネジ１５によって着脱自在に備えられたことを特徴とする光ケーブル留め具。
【請求項１２】
請求項９、請求項１０または請求項１１記載の光ケーブル留め具において、前記ケーブル支持プレート１が、下端縁に折り曲げ片からなるガイドレール１１を備え、該ガイドレール１１に光ケーブル配線に沿って長手方向に長溝を形成すると共に、外れ阻止用のストッパ片１４を両サイドに突設したことを特徴とする光ケーブル留め具。
【発明の詳細な説明】
【技術分野】
【０００１】
本発明は、市街地などにおける一般住宅の家屋、オフィス、工場、その他の建物などの屋外で架空での光ケーブル配線に用いられる情報通信などの通信回路での光通信用の光ケーブル余長を配線点になる予定の架空に止める光ケーブル留め具に関するものである。
【背景技術】
【０００２】
一般に、市街地などにおける光ケーブルによる架空光ネットワークは、光ケーブルの多重架渉ができるように、電柱間に鋼撚り線を張りスパイラルハンガーを通すことにより、ケーブルリングを使用しないでスパイラルハンガーの中に光ケーブルを何条も敷設できる工法になっている。（例えば、特許文献１参照）
この工法では、光ケーブル余長は取らずに架空クロージャ内の心線余長を利用した後分岐しかできなかった。
特に、最近のように市街地に架空光ネットワークが、多重架渉されてくると従来の工法では、電柱の支障移転時に光ケーブルの張り替えが必要になることや、後分岐による心線余長が足りないことなどを解消するために光ケーブルの余長を前もって用意することが必要になって問題があった。
また、従来では架空での心線余長を充分取った場合、接続ケーブル余長収納に光ケーブルを巻き付けることで行われるが、この巻き付け光ケーブルの接続余長の取付には、図１４に示すように光ケーブルＣの円周の一点をしばり紐Ｅで電柱Ｄ間の支持線Ａに固定すると共に、もう一点をしばり紐Ｆで電柱Ｄに取り付けるのに、自在バンドＨで電柱Ｄに取付つけたＬ型金具Ｇを用いて電柱Ｄに固定する工法が用いられるようになったが、（例えば、特許文献１参照）光ケーブルの引っ張り強度の保証や架空に設置することから紫外線など環境による劣化など寿命や信頼性に問題があり、しかも取付け取り扱い作業にも手数と時間がかかるほか、作業者による巻き付け光ケーブルを収める寸法に差異が生じたり作業員の組立て相違で、配線工事にバラツキが生じやすいので、均一性がなく信頼性の上で満足したものにならなく、その取付も電柱間のどの位置でもよいというわけではなく電柱近辺に限られ、電柱から外れた位置では組立てができない制約が生じて不便であるなどの欠点もあった。
【０００３】
この出願の発明に関連する先行技術文献情報としては、次のものがある。
【特許文献１】（ａ）  特開２００２−３４５１１６号公報                                    （ｂ）  実開平５−９６８０５号公報
【発明の開示】
【発明が解決しようとする課題】
【０００４】
本発明は、これら従来の諸欠点を排除しようとするもので、架空での光ケーブル配線に用いられる光ケーブルに光ケーブル余長の巻き付け光ケーブルを収めるのに、光ケーブルの把持力を一定にして把持することができ、光ケーブルの引っ張り力が上記把持力を超えた際に滑って光ケーブル余長部から繰り出すことで、光ケーブル及び心線に損傷を与えず、引っ張り強度の保証を確実化して信号伝送特性を充分維持できるほか、接続余長の取り扱い並びに配線工事の安全簡便化をはかり、光ケーブル接続余長の信頼性を高めることができる。
【課題を解決するための手段】
【０００５】
前記目的を達成するため、本発明は、架空での光ケーブル配線に用いられるものであって、光ケーブルに沿ったケーブル支持プートに、ケーブル支持用の支持線に固定するハンガーと、光ケーブルの二点を把持し、当該二点の間に光ケーブル余長部が存在するようにしたケーブル把持部とを設け、この両ケーブル把持部それぞれに、前記光ケーブルに圧接するように把持力６０〜９０ｋｇを持つ合成ゴムからなる弾性把持部材を取付片で設けることにより、架空での光ケーブル余長の巻き付け光ケーブルを収めるのに、弾性把持部材により光ケーブルの把持力を一定にして把持することができ、光ケーブルの引っ張り力が上記把持力を超えた際に滑って光ケーブル余長部から繰り出すように弾性把持部材を取付片によって挟圧配備したことで、光ケーブル及び心線に損傷を与えず、引っ張り強度の保証を確実化して信号伝送特性を充分維持できるほか、接続余長の取り扱い並びに配線工事の安全簡便化をはかり、光ケーブル接続余長の信頼性を高めることができるようにした。
【０００６】
また、本発明の光ケーブル留め具では、前記ケーブル支持プレートに、接続余長の巻き取りが最小曲率半径３００ｍｍ以上で所定の光ケーブル外径を確保するケーブル支持アームを回動自在に設けた構成とすることで、ケーブル支持アーム内に光ケーブル余長を巻き付けて納めると、所定の曲率半径寸法が容易に確保でき、組立て時にいずれの作業員が施工しても均一で信頼性が得られると共に、バケット車上などでの一人作業に適している止すにするのがよい。
【０００７】
さらに、本発明の光ケーブル留め具では、前記ケーブル支持アームが、先端にスパイラル状または引っ掛け鉤状の把手部を備え、前記ケーブル支持プレートに形成した位置決めストッパに保持されて、巻き付けた光ケーブルの円周の一点を支持することができるので、光ケーブル心線の曲げ劣化をなくし規定されている最小曲率半径３００ｍｍ以上が容易に維持でき、光ケーブル余長収納の管理保安が容易であるし、このケーブル支持アームは、梱包を考慮して回動変位してケーブル支持プレートに沿わして、邪魔にならないようにしてあり、組立て作業も簡便に行なうことができ、安全な光ケーブル留め具を構成簡単で、製造コストも安価な形態で提供できる。
【０００８】
本発明の光ケーブル留め具では、光ケーブルの二点を把持する前記ケーブル把持部が、それぞれ円筒形の弾性把持部材と、該弾性把持部材を圧接する取付片とを前記ケーブル支持プレートに着脱自在に備えて構成され、該取付片を固定子によって取り外し自在に固着したことを特徴とすることにより、片側または両側の光ケーブル余長止めを緩め、光ケーブルを外すだけで一巻長ごと延ばすことができると共に、光ケーブル心線の曲げ劣化をなくし規定されている最小曲率半径３００ｍｍが維持でき、しかも光ケーブルの把持力を一定にして把持することができ、光ケーブルの引っ張り力が上記把持力を超えた際に滑って光ケーブル余長部から繰り出すことで、光ケーブル及び心線に損傷を与えず、光ケーブルの引っ張り作用に安全に対応できて引っ張り強度の保証を確実化する。
【０００９】
さらにまた、本発明は、前記弾性把持部材が、前記光ケーブルの外周面に接触する挿通孔を有する円筒形合成ゴムからなり、光ケーブルを挿入する切れ目を挿通孔に連通して設け、前記ケーブル把持部に着脱自在に嵌挿したことを特徴とすることと、前記取付片は湾曲部の両端に折り曲げ支片を備え、一方の支片を前記ケーブル支持プレートに形成した挿入孔に嵌入支持し、他方の支片をケーブル支持プレートに固定子によって取り外し自在に固着したことで、スパイラルハンガー内の他の光ケーブルに損傷をあたえない構造により、接続余長の取り扱い並びに配線工事の安全簡便化がはかられるし、光ケーブル余長の巻き付け光ケーブルを収めるのに、光ケーブルの把持力を一定にして把持することができるようにした。
【００１０】
しかも、本発明の光ケーブル留め具では、前記ハンガーが、先端部に支持線を受ける抱持片と締め付けネジとからなる固着部を備え、前記支持線に係脱自在にぶら下げ保持されることを特徴とするので、電柱間どこの位置でも組立てが可能で、組立て時にいずれの作業員が施工しても均一で信頼性が得られると共に、バケット車上等での一人作業に適し、配線工事作業も容易であって信頼性を大幅に高めることができ、取り扱いも簡便で安全な形態で光ケーブル余長の収納ができるようにするのがよい。
【００１１】
また、本発明は、光ケーブルの支持を確実にするために、ケーブル支持プレートの中央部にブラケットを一対間隔をあけて設け、各ブラケットにフック片を回動自在に夫々備えて、巻き丸めた光ケーブルをフック片に抱持して、光ケーブル巻きの円周を整理して止めることができ、左右に振り分けた光ケーブル接続余長を支えて、光ケーブル巻き取りの最小曲率半径の外径を確保しやすくし、光ケーブルの繰り出しの際に案内をも兼ね光ケーブルに損傷を与えず安全性を高めるのが好ましい。
【００１２】
本発明は、前記ケーブル支持プレートが、ガイド溝のあるガイドレールと、断面略Ｕ字形のアームからなる電柱固定アームとを備え、該電柱固定アームがその一端に折曲片を有し、他端に締付固定ネジを備えたものであって、該締付固定ネジがケーブル支持プレートに形成されたガイドレールにあるガイド溝に嵌挿されるとともに、締付固定ネジを緩めて電柱固定アームを前記ガイドレール上にスライドさせることにより、電柱固定アームをガイドレールに対して摺動自在とすると共に、該電柱固定アームにある締付固定ネジを緩めてアーム一端を持ち上げ、締付固定ネジを中心に回転することにより、電柱固定アームをガイドレールに対して回転自在にできるように構成したことで、作業者の昇降時に電柱固定金具が邪魔にならないようにケーブル留め具本体から電柱までの距離を最低確保でき、電柱固定アームの配置を移動でき電柱との取付けが自在となって取扱い簡便化できるようにした。
【００１３】
特に、前記電柱固定アームが、断面略Ｕ字形のアームからなり、その一端に折曲片を有し、他端に締付固定ネジを備えたもので、該締付固定ネジをガイドレールに形成したガイド溝に嵌挿してガイドレール上に電柱固定アームを摺動自在とすると共に、前記締付固定ネジを中心に電柱固定アームを回動自在に配備したことで、前記締付固定ネジを緩めることにより、電柱固定アームを左右に取り替えて移動できるし、電柱までの距離の調整も簡単にでき、しかもアームの先端は折曲片として折り曲げてあるのでステンレスバンド等で電柱取付けも容易にできるようにするのがよい。
【００１４】
前記ケーブル支持プレートとしても、配線ケーブル支持用の支持線に固定するハンガーを取付けネジによって着脱自在に備えてあるので、ＳＳＷケーブル（自己支持型ケーブル）にケーブル留め具本体を取り付ける場合に、ハンガーを外しケーブル把持スペーサの弾性把持部材の内側に支持線取付け位置があり、支持線と弾性把持部材を嵌めたケーブルを取付片で同時に締め付け固定することができ、取扱い作業を簡便化して作業性を良好にすることが好ましい。
【００１５】
この光ケーブル留め具において、前記ケーブル支持プレートが、下端縁に折り曲げ片からなるガイドレールを備え、該レール部に配線された光ケーブルに沿って長手方向に長溝のガイド溝を形成すると共に、外れ阻止用のストッパ片を両サイドに突設して、前記電柱固定アームの取扱いを簡便化して作業性を向上するようにするのがよい。          
【００１６】
この場合、合成ゴムからなる前記弾性把持部材を取付片によって挟圧配備する際に、前記取付片が、湾曲部にの両端に折り曲げ支片を備え、一方の支片を前記ケーブル支持プレートに形成した挿入孔に嵌入保持され、或いは開閉自在に連結されて脱落防止構造として、他方の支片をケーブル支持プレートに固定子によって取り外し自在に固着することで、ケーブル支持プレートへの取付け部品が弾性把持部材を除いて脱落しないで取り扱われ、作業での安全性を高める配慮がされている。
【発明の効果】
【００１７】
本発明は、架空での光ケーブル余長の巻き付け光ケーブルを収めるのに、光ケーブルの
把持力を一定にして把持することができ、光ケーブルの引っ張り力が上記把持力を超えた際に滑って光ケーブル余長部から繰り出すことができることで光ケーブル及び心線に損傷が生じないし、引っ張り強度の保証を確実化して信号伝送特性を充分維持できるほか、接続余長の取り扱い並びに配線工事の安全簡便化をはかり、ケーブル接続余長の信頼性を高めることができる。
【００１８】
また、本発明では、ケーブル支持プレート内に光ケーブル余長を巻き付けておさめると、接続余長の巻き取りが最小曲率半径３００ｍｍ以上の所定の曲率半径寸法が容易に確保でき、組立て時にどの作業員が施工しても均一で信頼性が得られると共に、巻き付けた光ケーブルの円周の一点を支持するので、光ケーブル余長収納の管理保安が容易であるし、組立て作業も簡便に行なうことができ、安全なケーブル留め具を構成簡単で、製造コストも安価な形態で提供できる。
【００１９】
さらに本発明の光ケーブル留め具では、光ケーブルの二点を把持する前記ケーブル把持部がそれぞれ弾性把持部材と該弾性把持部材を圧接する取付片とを前記ケーブル支持プレートに着脱自在に備えられた構成とし、該取付片を固定子によって取り外し自在に固着したことにより、片側または両側のケーブル余長止めを緩め、光ケーブルを外すだけで一巻長ごと延ばすことができ、スパイラルハンガー内の他の光ケーブルに損傷をあたえないし取り扱いが簡便で、光ケーブル余長の巻き付け光ケーブルを収めるのに、光ケーブルの把持力を一定にして把持することができるため、引っ張り強度の保証を確実化するし、接続余長の取り扱い並びに配線工事の安全簡便化がはかられる。
【００２０】
しかも、本発明の光ケーブル留め具では、電柱間のどの位置でも組立てが可能で、組立て時にいずれの作業員が施工しても均一で信頼性が得られると共に、バケット車上などでの一人作業に適し、配線工事作業も容易であって信頼性を大幅に高めることができ、取り扱いも簡便で安全な形態で光ケーブル余長の収納ができる光ケーブル留め具とすることができる。
【００２１】
本発明は、前記ケーブル支持プレートが、ガイド溝のあるガイドレールと、断面略Ｕ字形の電柱固定アームとを備え、該電柱固定アームがその一端に折曲片を有し、他端に締付固定ネジを備えたものであって、該締付固定ネジを緩めて電柱固定アームを前記ガイドレール上に対して摺動自在とすると共に、電柱固定アームにある締付固定ネジを緩めてアーム一端を持ち上げ、固定ネジを中心に電柱固定アームを回転できるように構成したことで、作業者の昇降時に電柱固定金具が邪魔にならないように光ケーブル留め具本体から電柱までの距離を最低確保でき、電柱固定アームの配置を移動でき電柱との取付けが自在となって取扱い簡便化できるようにし、作業性を大幅に向上できるほか、光ケーブル余長の巻き付け光ケーブルを安全にケーブル支持プレートに保持できる。
【００２２】
特に、前記電柱固定アームを、締付固定ネジを中心に回転すれば電柱固定アームを位置替えできるし、締付固定ネジを外して電柱固定アームを左右に取り替えて移動もできるし、電柱までの距離の調整も固定ネジを緩めスライドして位置調節したのち、締付固定ネジを締めつければ設定位置の変更が簡単にでき、しかもアームの先端は折曲片として折り曲げてあるのでステンレスバンド等で電柱取付けも容易にできるようになり、アームによって電柱に巻き付け光ケーブルを取付ければ、横触れがなく確実で安全に架空に保持できる。
【００２３】
さらに、本発明では、前記ケーブル支持プレートとしても、配線されたケーブル支持用の支持線に固定するハンガーを取付けネジによって着脱自在に備えられているので、ＳＳＷケーブル（自己支持型ケーブル）に光ケーブル留め具本体を取り付ける場合に、ハンガーを外しケーブル把持スペーサの弾性把持部材の内側に支持線取付け位置があり、支持線と弾性把持部材を嵌めた光ケーブルを取付片で同時に締め付け固定することができ、取扱い作業を簡便化して作業性を良好にすることができる。
【００２４】
また、この光ケーブル留め具において、前記ケーブル支持プレートが、下端縁に折り曲げ片からなるガイドレールを備え、該ガイドレールに光ケーブルに沿って長手方向に長溝のガイド溝を形成すると共に、外れ阻止用のストッパ片を両サイドに突設して、前記電柱固定アームの取扱いを簡便化して作業性の向上を図ることができ、光ケーブルの安全性確保が容易にできる。
【００２５】
本発明の光ケーブル留め具では、前記弾性把持部材を取付片によって挟圧配備する際に、前記取付片が湾曲部の両端に折り曲げ支片を備え、一方の支片を前記ケーブル支持プレートに形成した挿入孔に嵌入保持され、或いは開閉自在に連結されていて、他方の支片をケーブル支持プレートに固定子によって取り外し自在に固着することで、前記ケーブル支持プレートへの取付け部品が弾性把持部材を除いて脱落防止構造なっているので、ケーブル支持プレートへの取付け部品が弾性把持部材を除いて脱落しないで取り扱われ、作業での安全性を容易に高めることができる。  
【発明を実施するための最良の形態】
【００２６】
この発明に係る光ケーブル留め具の第１実施例を図１〜図４の例を用いて説明すると、架空での光ケーブルＣに沿ったケーブル支持プレート１に、ケーブル支持用の鋼撚り線からなる支持線Ａに固定するハンガー２と、光ケーブルＣの二点を把持し、当該二点の間に光ケーブル余長部が存在するようにしたケーブル把持部３，３とを設け、この両ケーブル把持部３，３それぞれに前記光ケーブルＣに圧接するように把持力６０〜９０ｋｇ好ましくは７０〜８０ｋｇを持つ合成ゴムからなる弾性把持部材４を取付片５によって挟圧配備した構成の光ケーブル留め具としてある。〔図１〕
【００２７】
この場合、前記ケーブル支持プレート１の両端に、ケーブル接続余長の巻き取りが最小曲率半径３００ｍｍ以上で所定の光ケーブル外径を確保するケーブル支持アーム６を回動自在に設けて、光ケーブルＣの把持力を一定にして把持することができるようにし、光ケーブルＣの引っ張り力が上記把持力を超えた際に滑って光ケーブル余長部から繰り出すことができることで光ケーブル及び心線に損傷を与えずに、引っ張り強度の保証を確実化するようにしてある。〔図２〕
また、光ケーブルＣの支持を確実にするために、ケーブル支持プレート１の中央部下方にブラケット１０を一対間隔をあけて設け、各ブラケット１０に下方から上方に延長したフック片９を回動自在に夫々備えて、該フック片９を上から下に展開して巻き丸めた光ケーブルをフック片９に乗せたのち、巻き付け光ケーブルＣ１の光ケーブル巻きの円周を整理して止めることができ、左右に振り分けた光ケーブル接続余長を支えて、光ケーブル巻き取りの最小曲率半径の外径を確保しやすくして光ケーブルが損傷を生じないようにするのがよい。
【００２８】
なお、前記ケーブル支持アーム６としては、金属などの支持杆を用いその先端に引っ掛け鉤状またはスパイラル状の把手部６１を備え、前記ケーブル支持プレート１に突出形成した位置決めストッパ７に保持されていて、巻き付け光ケーブルＣ１の円周の二点を支持するようにするのがよい。
さらに、このケーブル支持アーム６は、前記ケーブル支持プレート１の両端に形成した挿入溝１１から装着し回動自在に枢支して、内側に変位して前記支持プレート１に沿わせることができ、折り畳まれて梱包が楽にできるようになっていて、外側に展開位置すると、位置決めストッパ７に当たって巻き付け光ケーブルＣ１の最小曲率半径を保持できるようになっている。〔図３〕    
【００２９】
さらに、前記ケーブル把持部３では、円筒形の弾性把持部材４を圧接する取付片５を前記ケーブル支持プレート１に形成した挿入孔（図示せず）或いは切り溝に挿脱自在に備え、固定子５１によって取り外し自在に固着して、弾性把持部材４を挟圧して光ケーブルＣの外周を圧着し、把持力６０〜９０ｋｇを持つて光ケーブル留めとするのがよい。
【００３０】
この場合、前記弾性把持部材４としては、弾性に優れた加硫ゴムなどの合成ゴムや、ニトリルゴム、ブチルゴム、アクリルゴム、オレフィン系のエチレン−プロピレンゴム、フッ素ゴム、シリコーンゴムなどの高性能特殊ゴム、熱可塑性エラストマー（ＴＰＥ）が選んで用いられる。
特に、弾性把持部材４は、引張強度５０〜３００ｋｇｆ／ｃｍ２で、（ショアー硬度２０〜９０）を用いるが、好ましくは引張応力の大きい硬質ゴム（ショアー硬度４０〜７０）を用い、即ち引張応力１００％・６０〜８０ｋｇｆ／ｃｍ２の熱可塑性ゴム組成物、例えば石油系軟化材を含むＥＥＰＭ、ＥＰＤＭ、シリコーンゴム、ブチルゴム、スチレン・ブタジェンコム或いはフッソゴムなどの硬度（Ｈｓ）のもの、さらに詳しくは比重１．０〜１．０５、引張強度６０．０ｋｇｆ／ｃｍ２で、圧縮永久歪（７０℃×２２Ｈ）は、５０％以下例えば４５．０％のものを用いケーブルの外周の摩擦抵抗によって所定の引っ張り強度に耐え、弾性変形して光ケーブルを密着して把持力６０〜９０ｋｇを持つて把持性を確保できるようにするのがよい。
【００３１】
なお、この弾性把持部材４は、前記光ケーブルＣの外周面に接触する挿通孔４１を貫通して有する円筒形合成ゴムからなり、光ケーブルＣを挿入する切れ目４２を挿通孔４１に連通して設け、前記ケーブル把持部３に着脱自在に嵌挿して光ケーブルＣの挿通把持が容易にできるようにしてある。
このように、前記ケーブル把持部３は、硬度２０〜９０の合成ゴムから構成された弾性把持部材４を備えたものであって、光ケーブルを貫通させる挿通孔４１のある円筒体が二つ割りの切れ目４２を外周から前記挿通孔４１まで形成して光ケーブルＣを挿入しやすくしてあるが、このケーブル挿通路としては、光ケーブルＣを密着して把持力６０〜９０ｋｇ好ましくは７０〜８０ｋｇを持つて把持（引張り強度５８０Ｎ以上）できるように、見かけの接触面積の大小並びに、垂直荷重の大小を適宜配慮して構成される。  
【００３２】
また、前記取付片５は、湾曲部にその両端に折り曲げ支片５２，５３を備え、その一方の支片５３を前記ケーブル支持プレート１に形成した挿入孔５４に嵌入支持し、他方の支片５２をケーブル支持プレート１に固定子５１によって取り外し自在に固着し、前記弾性把持部材４を確実に挟み込んで光ケーブルＣを圧着するのが便利である。
【００３３】
さらに前記ハンガー２は、先端部に支持線Ａを受ける抱持片２１と、締め付けネジ２２とからなる固着部を備え、前記支持線Ａに係脱自在に吊り下げ保持される固定構成からなるもので、前記ケーブル支持プレート１を光ケーブルＣに沿って位置するようになっている。
【００３４】
この第１実施例の光ケーブル留め具では、前記ケーブル支持プレート１を二部材で構成し、ケーブル把持部３の一対の取付片５を一括して備えたものと、ケーブル支持アーム６を備えたものとを組み合わせて、光ケーブルＣを挿入した弾性把持部材４を挟圧保持するようにしてある。
【００３５】
そして、前記光ケーブルＣの接続余長処理手順の一例としては、配線点となる予定の電柱Ｄに配線されている支持線Ａにケーブル支持プレート１をハンガー２によって取付け、該支持線Ａにつり下げられている光ケーブルＣの外周に弾性把持部材４を二箇所挿入して、該弾性把持部材４，４をそれぞれケーブル把持部３において取付片５によって緩めた状態で仮止めしたのち、ケーブル把持部３，３間のケーブルの位置で所定量の光ケーブル接続余長の巻き取りを半径３００ｍｍ以上で、かつ光ケーブル外径を確保しながら、略８の字を描くように巻き込み巻き付け光ケーブルＣ１とする。この巻き付け光ケーブルＣ１の円周の二点をケーブル支持プレート１の把手部６１に引っかけ挿入して支持し、さらにケーブル把持部３で、前記取付片５を締めつけて光ケーブルＣを前記弾性把持部材４内に挟持固定する。〔図４〕  
【００３６】
この弾性把持部材４は、把持力６０〜９０ｋｇまでは把持することができて、光ケーブルＣの引っ張り力が上記把持力を超えた際に滑って光ケーブル余長部から繰り出すことができることで、光ケーブル及び心線に損傷を与えることなく安全に用いられる。また、配線作業において片側或いは両側の光ケーブル余長留めの前記ケーブル把持部３の取付片５を緩め、光ケーブルを外すだけで１巻長づつ伸ばすことができる。  
【００３７】
また、前記ケーブル支持アーム６に巻き付け光ケーブルＣ１を納めると、最小曲率半径の３００ｍｍの寸法が容易に確保できて、光ケーブル心線の曲げ劣化をなくすことができるし、組立て時にどの作業員が組み立てても同じ形態に施工でき信頼性が得られる。
【００３８】
この発明に係る光ケーブル留め具は、前記ハンガー２で固着部によって支持線Ａに定着できるので、該支持線Ａの備えたスパイラルハンガーＢ内の他の光ケーブルに損傷を与えないで安全に用いられ、しかも電柱Ｄ間のどこの位置でも組立てが可能で、バケット車上での作業で一人作業も簡便にできる。
【００３９】
図５〜８に示す第２実施例の光ケーブル留め具では、前記ケーブル支持プレート１を単一部材でケーブル挿入通路８を形成して折り曲げ構成し、該ケーブル挿入通路８上にケーブル支持プレート１の両端にケーブル把持部３を設け、両ケーブル把持部３それぞれに取付片５を着脱自在に備えたもので、さらにプレート上部にハンガー２と、プレート下部両端にケーブル支持アーム６とを備え、ケーブル挿入通路８に挿入した光ケーブルＣを弾性把持部材４を介して挟圧保持するようにしてある。
【００４０】
この場合、前記取付片５は、ケーブル支持プレート１とは別部材で、弾性把持部材４を嵌入しうる湾曲部の両端に折り曲げ支片５２，５３をそれぞれ備え、その一方の支片５３を前記ケーブル支持プレート１のケーブル挿入通路８の両端下方に形成した挿入孔５４に嵌入支持し、他方の支片５２をケーブル支持プレート１の両端上方に固定子５１によって取付片５を個別に取り外し自在に固着し、前記弾性把持部材４を確実に挟み込んで光ケーブルＣを圧着するようにしてある。
また、ケーブル支持プレート１の中央部上方にブラケット１０を一対間隔をあけて設け、各ブラケット１０に上方から下方に延長したフック片９を回動自在に夫々備えて、該フック片９を下から上に展開して巻き丸めた光ケーブルをフック片９に抱え込んで、光ケーブル巻きの円周を整理して止めることができ、左右に振り分けた光ケーブル接続余長を支えて、光ケーブル巻き取りの最小曲率半径の外径を確保しやすくし、光ケーブルの繰り出しの際に案内をも兼ね光ケーブルの損傷が生じないようにするのがよい。
【００４１】
その他の構成は、第１実施例と同様で前記弾性把持部材４により把持力６０〜９０ｋｇまでは把持し、光ケーブルＣの引っ張り力が上記把持力を超えた際に滑って光ケーブル余長部から繰り出すことができることで、光ケーブル及び心線に損傷を与えることなく安全に用いられる構成としてある。
さらに、前記ケーブル支持アーム６は、その先端に引っ掛け鉤状の把手部６１を備え、接続余長の巻き取りが最小曲率半径３００ｍｍ以上の所定の曲率半径寸法が容易に確保できるように、ケーブル支持プレート内に光ケーブル余長を巻き付けて納めることができるようにしてあり、組立て時にいずれの作業員が施工しても均一で信頼性が得られるようになっている。
【００４２】
図９〜１３に示す第３実施例の光ケーブル留め具では、ゴムスペーサとなる弾性把持部材４を除いて前記ケーブル支持プレート１への取付け部品が、脱落防止構造となっていて、配線された光ケーブルＣに沿ったケーブル支持プレート１に、ケーブル支持用の支持線Ａに固定されるハンガー２と、光ケーブルＣの二点を把持するケーブル把持部３，３とを設け、該両ケーブル把持部３，３それぞれに、前記光ケーブルＣに圧接する合成ゴムからなる弾性把持部材４を取付片５によって挟圧配備すると共に、ケーブル支持プレート１に形成したガイドレール１１に電柱固定アーム１２を後記するように摺動自在で且つ、回動自在に付設したことにより、作業者の昇降時に電柱固定金具１２が邪魔にならないように光ケーブル留具本体から電柱Ｄまでの距離を最低確保でき、電柱固定アーム１２の配置を移動でき電柱Ｄとの取付けが自在となって取扱い簡便化できるようにしテ作業性を大幅に向上できるほか、光ケーブル余長の巻き付け光ケーブルＣ１を安全に支持線Ａに保持できる。
【００４３】
特に、前記電柱固定アーム１２が、断面略Ｕ字形のアームからなり、その一端に折曲片１２１を有し、他端に締め付け固定ネジ１３を備えたものであって、該固定ネジ１３をケーブル支持プレート１に形成されたガイドレール１１に、例えばガイドレール１１にあるガイド溝（図示せず）に嵌挿し、前記電柱固定アーム１２にある前記固定ネジ１３を緩めてガイドレール１１上をスライドさせることにより、電柱固定アーム１２をガイドレール１１に対して摺動自在に移動できるし、位置決めしてから固定ネジ１３を締めつければ電柱Ｄまでの距離の調整も簡単にでき、しかも電柱固定アーム１２の先端は折曲片１２１として折り曲げてあるので、ステンレスバンド等の自在バンドＨで電柱取付けも容易にできるようになる。
【００４４】
また、前記電柱固定アーム１２にある固定ネジ１３を緩めることにより、アームの一端を持ち上げ固定ネジ１３を中心に１８０度回転することにより電柱固定アーム１２をガイドレール１１に対して回転自在とすることができるし、必要に応じて固定ネジ１３を外して電柱固定アーム１２を左右に位置替えして取り替え使用することもできる。さらに電柱までの距離の調整も、固定ネジ１３を緩めガイドレール１１上にススライドして位置調節したのちに、緩めた固定ネジ１３を締めつければ簡単に所定位置に固定でき、しかもアームの先端は折曲片として折り曲げてあるのでステンレスバンド等で電柱取付けも容易にできるようになり、電柱固定アーム１２によって電柱Ｄに巻き付け光ケーブルＣ１を取付ければ、風が吹いても横触れがなく確実で安全に架空に保持できる。
【００４５】
さらに、本発明では、図１０に示すように前記ケーブル支持プレート１に、光ケーブル支持用の支持線Ａに固定するハンガー２を取付けネジ１５によって着脱自在に備え、さらに図１２に示すように光ケーブルとドロップ光ケーブルとを分離通過させるための係支リング１７、例えば、一端をリング状の輪部にした支杆をケーブル支持プレート１に備えれば、ＳＳＷケーブル（自己支持型ケーブル）に光ケーブル留め具本体を取り付ける場合に、ハンガー２を外せば、ケーブル把持スペーサの弾性把持部材４の内側に支持線取付け位置があるので、弾性把持部材４を嵌めた光ケーブルを取付片５で同時に締め付け固定することができて取扱い作業が簡便化できるし、同じエリアを通過する光ケーブルとドロップ光ケーブルとを離して配線処理でき、作業性を良好にすることができる。
【００４６】
また、この光ケーブル留め具において、前記ケーブル支持プレート１が、下端縁に折り曲げ片からなるガイドレール１１を備え、該ガイドレール１１に光ケーブルＣに沿って長手方向に長溝を形成すると共に、外れ阻止用のストッパ片１４を両サイドに突設して、前記電柱固定アーム１２の左右位置の取り替えや長さ方向の調整取扱いを簡便化して作業性の向上を図ることができ、余長光ケーブルの固定化が容易で安全性確保が容易にできる。  なお、前記ケーブル支持プレート１に取り付けられる前記取付片５としては、前例と同様に湾曲部の両端に折り曲げ支片を備え、一方の支片を前記ケーブル支持プレート１に形成した挿入孔に嵌入保持され或いは開閉自在に連結させて脱落防止構造にして、他方の支片をケーブル支持プレート１に固定子１６によって取り外し自在に固着し、該固定子１６によって前記弾性把持部材４を挟圧するのが、取付け部品が弾性把持部材を除いて脱落しないで取り扱われ、それらの作業での安全性を高められる。
【図面の簡単な説明】
【００４７】
【図１】本発明の第１実施例を示す光ケーブル留め具を示し、（ａ）はその正面図、（ｂ）はその側面図である。
【図２】図１の例の使用状態の正面図である。
【図３】図１の例で用いられる光ケーブル留め具の梱包状態を示し、（ａ）はその正面図、（ｂ）はその側面図である。
【図４】図１の例で用いられる光ケーブル留め具の施工状態を示す正面図である。
【図５】本発明の第２実施例を示す光ケーブル留め具の使用状態を示す斜面図である。
【図６】図４の例で用いられる光ケーブル留め具の正面図である。
【図７】図４の例の一部の拡大正面図である。
【図８】図７の例の一部の側面図である。
【図９】本発明の第３実施例を示す光ケーブル留め具の使用状態を示す斜面図である。
【図１０】図９の例で用いられる光ケーブル留め具を示し、（ａ）はその正面図、（ｂ）はその側面図である。
【図１１】図９の例の一部の拡大斜面図である。
【図１２】図９の例で用いられる光ケーブル留め具の一施工使用状態を示す斜面図である。
【図１３】図９の例で用いられる光ケーブル留め具の梱包状態を示し、（ａ）はその正面図、（ｂ）はその側面図である。
【図１４】従来の工法のの説明正面図である。
【符号の説明】
【００４８】
Ａ    支持線
Ｂ    スパイラルハンガー
Ｃ    光ケーブル
Ｃ１  巻き付け光ケーブル  
Ｄ    電柱    
Ｅ    しばり紐
Ｆ    しばり紐
Ｇ    Ｌ型金具
Ｈ    自在バンド
１    ケーブル支持プレート
１１  ガイドレール
２    ハンガー  
２１  抱持片  
２２  締め付けネジ  
３    ケーブル把持具
４    弾性把持部材  
４１  挿通孔
４２  切れ目
５    取付片  
５１  固定子
５２，５３  支片        
５４  挿入孔            
６    ケーブル支持アーム    
７    ストッパ  
８    ケーブル挿入通路  
９    フック片  
１０  ブラケット  
１１  挿入溝    
１２  電柱固定アーム    
１２１  折曲片  
１３  固定ネジ  
１４  ストッパ片
１５  取付けネジ  
１６  固定子    
１７  係支リング
【図１】
0004145767.tif 000002
【図２】
0004145767.tif 000003
【図３】
0004145767.tif 000004
【図４】
0004145767.tif 000005
【図５】
0004145767.tif 000006
【図６】
0004145767.tif 000007
【図７】
0004145767.tif 000008
【図８】
0004145767.tif 000009
【図９】
0004145767.tif 000010
【図１０】
0004145767.tif 000011
【図１１】
0004145767.tif 000012
【図１２】
0004145767.tif 000013
【図１３】
0004145767.tif 000014
【図１４】
0004145767.tif 000015